(57)【特許請求の範囲】
【請求項１】
多機能の医療用レーザ照射装置において、
レーザ光を発生させ、前方に出力するレーザ発振器と、
前記レーザ発振器の前方に配置され、前記レーザ発振器から発振されるレーザ光が通過する第１の通過部と、
前記第１の通過部の前方に間隔を開けて配置され、前記第１の通過部を通過したレーザ光が通過する第２の通過部と、
前記第１の通過部と前記第２の通過部との間、または前記第２の通過部の前方に配置される第３の通過部と、を含み、
前記第１の通過部は、第１の拡散レンズ及び第１のフォーカシングレンズを有する第１の通過ユニットを含み、前記レーザ発振器から発振されるレーザ光が前記第１の通過ユニットの何れか１つに選択的に供給されるように移動可能であり、
前記第２の通過部は、第２の拡散レンズ及び第２の整列レンズを有する第２の通過ユニットを含み、前記レーザ発振器から発振されるレーザ光が前記第２の通過ユニットの何れか１つに選択的に供給されるように移動可能であり、
前記第３の通過部は、第３の波長フィルタ部及び第３の多重フォーカシングレンズを有する第３の通過ユニットを含み、前記レーザ発振器から発振されるレーザ光が前記第３の通過ユニットの何れか１つに選択的に供給されるように移動可能であり、
前記第１、第２及び第３の通過部は、予め設定された経路に沿って移動可能であり、
前記第１、第２及び第３の通過ユニットは、前記予め設定された経路に対応して配置される、多機能の医療用レーザ照射装置。
【請求項２】
前記第１の通過部は第１の拡散レンズを含み、
前記第２の通過部は第２の拡散レンズ、第２の整列レンズ、第２の多重フォーカシングレンズ、第２の波長フィルタ部のうち１つ以上を含む、請求項１に記載の多機能の医療用レーザ照射装置。
【請求項３】
前記第２の通過部はウィンドウ部を含む、請求項２に記載の多機能の医療用レーザ照射装置。
【請求項４】
前記第１の通過部は第１の拡散レンズ、第１のフォーカシングレンズ、第１の波長フィルタ部、第１の整列レンズ、第１の多重フォーカシングレンズのうち１つ以上を含み、
前記第２の通過部はウィンドウ部を含む、請求項１に記載の多機能の医療用レーザ照射装置。
【請求項５】
前記第１の通過部に移動のための駆動力を提供する第１のモータドライブ部を含み、
前記第２の通過部に移動のための駆動力を提供する第２のモータドライブ部を含む、請求項１に記載の多機能の医療用レーザ照射装置。
【請求項６】
前記第１の通過部には、少なくとも２つ以上の前記第１の通過ユニットが、前記レーザ光の出力方向に並ぶ第１の軸周りに間隔を開けて配置され、前記第２の通過部には、少なくとも２つ以上の前記第２の通過ユニットが、前記レーザ光の出力方向に並ぶ第２の軸周りに間隔を開けて配置され、
前記第１の通過部は前記第１の軸周りに回転し、前記第２の通過部は前記第２の軸周りに回転する、請求項１に記載の多機能の医療用レーザ照射装置。
【請求項７】
前記第１の通過部には、少なくとも２つ以上の前記第１の通過ユニットが、直線経路上において互いに離隔して配置され、前記第２の通過部には、少なくとも２つ以上の前記第２の通過ユニットが、直線経路上において互いに離隔して配置され、
前記第１の通過部は直線経路に沿って直線移動し、前記第２の通過部は直線経路に沿って直線移動する、請求項１に記載の多機能の医療用レーザ照射装置。
【請求項８】
前記第１の通過部及び前記第２の通過部を前後進させる前後進駆動部をさらに含む、請求項１に記載の多機能の医療用レーザ照射装置。
【請求項９】
前記前後進駆動部は、
前記第１の通過部及び前記第２の通過部が搭載されるビーム鏡筒と、
前記ビーム鏡筒の外周縁に挿入されるスペーサ鏡筒と、
前記ビーム鏡筒を前方の被照射部に対して相対的に前後進移動させる前後進駆動ユニットと、を含む、請求項８に記載の多機能の医療用レーザ照射装置。
【請求項１０】
前記ビーム鏡筒において、前記第１の通過部と前記第２の通過部との間、または前記第２の通過部の前方に配置される第３の通過部をさらに含み、
前記第３の通過部は、
第３の拡散レンズ、第３のフォーカシングレンズ、第３の波長フィルタ部、第３の整列レンズ、第３の多重フォーカシングレンズ、第３の通孔部、及びウィンドウ部のうち少なくとも２つ以上の第３の通過ユニットを含み、前記レーザ発振器から発振されるレーザ光が前記少なくとも２つ以上の第３の通過ユニットの何れか１つに選択的に供給されるように移動可能である、請求項９に記載の多機能の医療用レーザ照射装置。
【請求項１１】
前記レーザ発振器によるレーザ光の生成を制御する安全手段をさらに含み、
前記安全手段は、
ユーザの把持を感知する把持感知センサと、
被照射部に対する接触を感知する接触感知センサと、
被照射部への加圧を感知する押され感知センサと、を含む、請求項１に記載の多機能の医療用レーザ照射装置。
【発明の詳細な説明】
【技術分野】
【０００１】
本願は、多機能の医療用レーザ照射装置に関する。
【背景技術】
【０００２】
近年、各種の先端技術の発達と共に各種の医療機器が発達することに伴い、医療分野でも以前とは異なり、最先端のレーザ器機が各種疾病の治療に活用されている趨勢である。
【０００３】
医療用として使用されるレーザの用途の一つが、皮膚にレーザ光を照射することで皮膚を穿孔することであり、皮膚を穿孔することにより、穿孔された皮膚から採血をしたり、穿孔された小さい孔から薬剤を投与したり、皮膚のほくろやそばかすなどを除去するのに使用される。
【０００４】
また、歯科医学、特に虫歯の治療において、機械的な接触を常に要するドリルとは異なり、レーザ器機は、無接触治療を可能にする上に、より高い正確度を有する。さらに、レーザ器機によれば、機械的な接触時の振動や熱によって主にもたらされる痛症も最小化することができ、無痛治療の達成が大分容易になるので、レーザ器機は、最近、従来のドリルのような機械装置を完全にまたは部分的に取り替えている。
【０００５】
一方、これに関し、韓国公開特許公報第２００７−００４４６２１号（発明の名称：医療用レーザ照射器及び照射方法）には、電力供給のためのアダプタ、ユーザによりレーザの出力強度を調節してレーザを発生させるための本体、及び本体から発生したレーザを照射するためのハンドピースの構成が開示されている。
【先行技術文献】
【特許文献】
【０００６】
【特許文献１】韓国公開特許公報第２００７−００４４６２１号
【発明の概要】
【発明が解決しようとする課題】
【０００７】
本願は、上述した従来技術の問題点を解決するためのものであり、様々な用途に合わせてレーザを調節することができる多機能の医療用レーザ照射装置を提供することを目的としている。
【課題を解決するための手段】
【０００８】
上記した技術的課題を解決するための技術的手段として、本願の第１の側面に係る多機能の医療用レーザ照射装置は、レーザ光を発生させ、前方に出力するレーザ発振器と、前記レーザ発振器の前方に配置され、前記レーザ発振器から発振されるレーザ光が通過する第１の通過部と、前記第１の通過部の前方に間隔を開けて配置され、前記第１の通過部を通過したレーザ光が通過する第２の通過部と、を含み、前記第１の通過部は、第１の拡散レンズ、第１のフォーカシングレンズ、第１の波長フィルタ部、第１の整列レンズ、第１の多重フォーカシングレンズ、及び第１の通孔部のうち少なくとも２つ以上の第１の通過ユニットを含み、前記レーザ発振器から発振されるレーザ光が前記少なくとも２つ以上の第１の通過ユニットの何れか１つに選択的に供給されるように移動可能であり、前記第２の通過部は、第２の拡散レンズ、第２のフォーカシングレンズ、第２の波長フィルタ部、第２の整列レンズ、第２の多重フォーカシングレンズ、 第２の通孔部、及びウィンドウ部のうち少なくとも２つ以上の第２の通過ユニットを含み、前記レーザ発振器から発振されるレーザ光が前記少なくとも２つ以上の第２の通過ユニットの何れか１つに選択的に供給されるように移動可能である。
【発明の効果】
【０００９】
上述した本願の課題を解決するための手段によれば、レーザ光が少なくとも２つ以上の第１の通過ユニットの何れか１つに選択的に供給され、少なくとも２つ以上の第２の通過ユニットの何れか１つに選択的に供給されることによって、様々な用途に合わせてレーザを調節することができるので、複数のレーザ照射装置を購入しなければならないという問題点を解消することができる。
【図面の簡単な説明】
【００１０】
【図１】本願の一実施例に係る多機能の医療用レーザ照射装置の概略図である。
【図２】本願の一実施例に係る第１の通過部の斜視図である。
【図３】本願の一実施例に係る第２の通過部の斜視図である。
【図４】本願の一実施例に係る前後進駆動部を説明するための概略的な断面図である。
【発明を実施するための形態】
【００１１】
以下では、添付した図面を参照しながら、本願の属する技術分野において通常の知識を有する者が容易に実施できるように本願の一実施例を詳しく説明する。ところが、本願は、様々な異なる形態で具現されることができ、ここで説明する一実施例に限定されるものではない。そして、図面において、本願を明確に説明するために、説明とは関係ない部分は省略しており、明細書全体に亘って類似した部分に対しては類似した図面符号を付けている。
【００１２】
本願の明細書全体において、ある部材が他の部材の『上に』位置しているという場合、これは、ある部材が他の部材に接している場合だけでなく、両部材の間にまた他の部材が存在する場合も含む。
【００１３】
本願の明細書全体において、ある部分がある構成要素を『含む』という場合、これは、特に反対の記載がない限り、他の構成要素を除くのではなく、他の構成要素をさらに含み得ることを意味する。本願の明細書全体において使用される程度の用語『約』、『実質的に』などは、言及された意味に固有の製造及び物質許容誤差が提示される場合、その数値で、またはその数値に近接した意味として使用され、本願の理解を助けるために、適確であるか絶対的な数値が言及された開示内容を非良心的な侵害者が不当に用いることを防止するために使用される。本願の明細書全体において使用される程度の用語『〜（する）ステップ』または『〜のステップ』は、『〜のためのステップ』を意味していない。
【００１４】
以下、添付された図面を参照しながら本願を詳しく説明する。
【００１５】
図１を参照すると、本願の一実施例に係る多機能の医療用レーザ照射装置１０は、レーザ発振器１００と、第１の通過部２００と、第２の通過部３００と、を含む。
【００１６】
レーザ発振器１００は、レーザ光を発生させ、前方に出力する装置である。
【００１７】
例えば、レーザ発振器１００は、電気エネルギーの供給を受け、光を増幅させ、気体レーザ、液体レーザ、固体レーザ及び半導体レーザの中から選択される１つのレーザのような光エネルギーを発生させて、外部へ放出する。
【００１８】
上述した例示のようなレーザ発振器１００は一般的に使用される構成であり、通常の技術者にとって自明であるので、詳細な説明は省略する。
【００１９】
第１の通過部２００は、レーザ発振器１００の前方に配置される。また、第１の通過部２００には、レーザ発振器１００から発振されるレーザ光が通過する。
【００２０】
ここで、第１の通過部２００はレーザ発振器１００の前方に配置されるということは、レーザ発振器１００から出力されるレーザ光が直接的に第１の通過部２００に伝達されることを意味する。但し、第１の通過部２００は、常にレーザ発振器の前方に配置されることに限定されるものではなく、レーザ発振器１００と第１の通過部２００との間に光ファイバ、光学的開口などのようなレーザ光を伝送することのできる伝送媒体がさらに備えられ、レーザ発振器１００から出力されたレーザ光が上述した伝送媒体を通過した後、第１の通過部２００に照射される場合も含まれ得る。
【００２１】
また、第１の通過部２００には、レーザ発振器１００から出力されるレーザ光が１次的に通過する。第１の通過部２００にはレーザ発振器１００から出力されるレーザ光が１次的に通過するということは、レーザ発振器１００から出力されたレーザ光が最初に通過する媒体を意味するのではなく、第１の通過部２００と第２の通過部３００のうち１次的に通過するということを意味する。
【００２２】
第２の通過部３００は、第１の通過部２００の前方に間隔を開けて配置される。また、第２の通過部３００には、第１の通過部２００を通過したレーザ光が通過する。
【００２３】
第２の通過部３００は第１の通過部２００から間隔を開けて配置されるということは、例えば、第１の通過部２００の第１の拡散レンズ２１１を通じてレーザ光が拡散して第２の通過部３００に照射される場合、レーザ光が十分な大きさに拡散するための間隔を開けて配置されることを意味する。
【００２４】
また、第２の通過部２００には、レーザ発振器１００から出力されるレーザ光が２次的に通過する。第２の通過部３００にはレーザ発振器１００から発振されたレーザ光が２次的に通過するということは、第１の通過部２００を通過したレーザ光が第２の通過部３００に照射され、第２の通過部３００を通過することを意味する。但し、これに限定されるものではなく、レーザ光は、第１の通過部２００を通過した後、反射、分光などにより折り曲げられて第２の通過部３００に照射されることもあり得る。
【００２５】
第１の通過部２００は、第１の拡散レンズ２１１、第１のフォーカシングレンズ２１２、第１の波長フィルタ部２１３、第１の整列レンズ２１４、第１の多重フォーカシングレンズ２１５、及び第１の通孔部２１６のうち少なくとも２つ以上の第１の通過ユニット２１０を含み、レーザ発振器１００から発振されるレーザ光が少なくとも２つ以上の第１の通過ユニット２１０の何れか１つに選択的に供給されるように移動可能である。
【００２６】
第２の通過部３００は、第２の拡散レンズ３１１、第２のフォーカシングレンズ３１２、第２の波長フィルタ部３１３、第２の整列レンズ３１４、第２の多重フォーカシングレンズ３１５、及び第２の通孔部３１６のうち少なくとも２つ以上の第２の通過ユニット３１０を含み、レーザ発振器１００から発振されるレーザ光が少なくとも２つ以上の第２の通過ユニット３１０の何れか１つに選択的に供給されるように移動可能である。
【００２７】
第１の通過部２００及び第２の通過部３００は、ユーザが所望のレーザ光を出力するように作動入力を行うと、作動入力によって第１の通過ユニット２１０及び第２の通過ユニット３１０が選択される。また、第１の通過部２００及び第２の通過部３００は、選択された第１の通過ユニット２１０及び選択された第２の通過ユニット３１０へレーザ光が供給されるように移動する。
【００２８】
例えば、皮膚に複数の穿孔ホールを穿孔するためのレーザ光が照射されるように作動入力が行われると、第１の通過部２００が移動して第１の拡散レンズ２１１が選択され、第２の通過部３００が移動して第２の多重フォーカシングレンズ３１５が選択され、レーザ発振器１００から発振されたレーザ光が第１の拡散レンズ２１１を通過して第２の多重フォーカシングレンズ３１５に均一に分散して照射され、第２の多重フォーカシングレンズ３１５を通過してマルチポイントにフォーカシングし、皮膚に照射される。
【００２９】
第１の通孔部２１６及び第２の通孔部３１６は、レーザ光がそのまま通過する空の空間を意味する。
【００３０】
レーザ発振器１００から出力されたレーザ光は、選択された第１の通過ユニット２１０及び選択された第２の通過ユニット３１０を通過し、様々な用途に合わせてレーザ光の性質が変化する。
【００３１】
第１の通過部２００は、第１の拡散レンズ２１１を含み、第２の通過部３００は、第２の拡散レンズ３１１、第２の波長フィルタ部３１３、第２の整列レンズ３１４、及び第２の多重フォーカシングレンズ３１５のうち１つ以上を含む。
【００３２】
例えば、第１の通過部２００は、第１の拡散レンズ２１１、及び、第１の拡散レンズ２１１を除く第１の通過ユニット２１０のうち１つ以上の第１の通過ユニット２１０を含む。また、第２の通過部３００は、第２の拡散レンズ３１１、第２の波長フィルタ部３１３、第２の整列レンズ３１４、及び第２の多重フォーカシングレンズ３１５のうち１つの第２の通過ユニット３１０を含み、含まれた第２の通過ユニット３１０を除く第２の通過ユニット３１０のうち１つ以上の第２の通過ユニット３１０を含む。
【００３３】
以下、第１の通過部２００には第１の拡散レンズ２１１が選択され、第２の通過部３００には第２の拡散レンズ３１１、第２の波長フィルタ部３１３、第２の整列レンズ３１４、及び第２の多重フォーカシングレンズ３１５のうち１つの第２の通過ユニット３１０が選択される場合について説明する。
【００３４】
上述した選択されるということは、第１の通過部２００及び第２の通過部３００が移動し、作動入力に対応する第１の通過ユニット２１０及び第２の通過ユニット３１０がレーザ光の経路に位置されることである。
【００３５】
第１の通過部２００には第１の拡散レンズ２１１が選択され、第２の通過部３００には第２の拡散レンズ３１１、第２の整列レンズ３１４、第２の多重フォーカシングレンズ３１５、及び第２の波長フィルタ部３１３のうち１つが使用の目的に合わせて選択される。
【００３６】
第１の通過部２００には第１の拡散レンズ２１１が選択され、第２の通過部３００には第２の拡散レンズ３１１が選択され得る。このとき、レーザ光は、第１の拡散レンズ２１１を通過することで入射される部分が拡張されて第２の拡散レンズ３１１へ入射し、第２の拡散レンズ３１１を通過することで広い面積に拡張され、被照射部へ照射される。前記被照射部は、多機能の医療用レーザ照射装置１０を病院で使用する場合、患者の皮膚であり得る。第１の拡散レンズ２１１及び第２の拡散レンズ３１１は、皮膚の広い部位に弱いレーザ光を照射する際に有用に使用される。第１の拡散レンズ２１１及び第２の拡散レンズ３１１が選択されることで、皮膚のピーリング、微細剥皮、肝斑、くすみの除去、色素沈着など皮膚改善のための治療に使用されることができる。
【００３７】
第１の通過部２００には第１の拡散レンズ２１１が選択され、第２の通過部３００には第２の波長フィルタ部３１３が選択され得る。このとき、レーザ光は、第１の拡散レンズ２１１を通過することで照射される部分が拡張されて第２の波長フィルタ部３１３へ照射され、第２の波長フィルタ部３１３を通過することで特定波長のレーザ光が選択され、被照射部へ照射される。第１の拡散レンズ２１１及び第２の波長フィルタ部３１３は、顔面紅潮を除去するためのフィラー施術の際に使用されることができる。また、第２の波長フィルタ部３１３は複数備えても良く、それぞれの第２の波長フィルタ部３１３は特定波長をフィルタリングし、ユーザは、様々な特定波長を選択して使用することができる。
【００３８】
第１の通過部２００には第１の拡散レンズ２１１が選択され、第２の通過部３００には第２の整列レンズ３１４が選択され得る。このとき、レーザ光は、第１の拡散レンズ２１１を通過することで照射される部分が拡張されて第２の整列レンズ３１４へ入射し、第２の整列レンズ３１４を通過することで被照射部へ波長が均一となって照射される。
【００３９】
第１の通過部２００には第１の拡散レンズ２１１が選択され、第２の通過部３００には第２の多重フォーカシングレンズ３１５が選択され得る。このとき、レーザ光は、第１の拡散レンズ２１１を通過することで照射される部分が拡張されて第２の多重フォーカシングレンズ３１５へ照射され、第２の多重フォーカシングレンズ３１５を通過することで多重フォーカシングされる。多重フォーカシングは、１回のレーザビームの照射で被照射部に多数の穿孔ホールを穿孔することを意味する。第１の拡散レンズ２１１及び第２の多重フォーカシングレンズ３１５は、にきび跡、皮膚の再生、薬物投入用の穿孔、傷跡の除去などに使用されることができる。
【００４０】
また、第２の通過部３００は、ウィンドウ部３１７を含む。
【００４１】
ウィンドウ部３１７は、治療の際に発生する煙りまたは異物が第１の通過部２００とレーザ発振器１００に入り込むことを防止する。
【００４２】
第１の通過部２００は、第１のフォーカシングレンズ２１２、第１の拡散レンズ２１１、第１の波長フィルタ部２１３、第１の整列レンズ２１４、第１の多重フォーカシングレンズ２１５のうち１つ以上を含み、第２の通過部３００は、ウィンドウ部３１７を含む。
【００４３】
例えば、第１の通過部２００は、第１の拡散レンズ２１１、第１のフォーカシングレンズ２１２、第１の波長フィルタ部２１３、第１の整列レンズ２１４、第１の多重フォーカシングレンズ２１５のうち１つの第１の通過ユニット２１０を含み、含まれた第１の通過ユニット２１０を除く第１の通過ユニット２１０のうち１つ以上の第１の通過ユニット２１０を含む。また、第２の通過部３００は、ウィンドウ部３１７、及びウィンドウ部３１７を除く第２の通過ユニット３１０のうち１つ以上の第２の通過ユニット３１０を含む。
【００４４】
以下、第１の通過部２００には第１の拡散レンズ２１１、第１のフォーカシングレンズ２１２、第１の波長フィルタ部２１３、第１の整列レンズ２１４、第１の多重フォーカシングレンズ２１５のうち１つの第１の通過ユニット２１０が選択され、第２の通過部３００にはウィンドウ部３１７が選択される場合について説明する。
【００４５】
第１の通過部２００には第１の拡散レンズ２１１が選択され、第２の通過部３００にはウィンドウ部３１７が選択され得る。このとき、レーザ発振器１００から照射されるレーザ光は、第１の拡散レンズ２１１を通過することで拡散してウィンドウ部３１７へ照射され、拡散したレーザ光がウィンドウ部３１７を通過して被照射部に照射される。
【００４６】
第１の通過部２００には第１のフォーカシングレンズ２１２が選択され、第２の通過部３００にはウィンドウ部３１７が選択され得る。このとき、レーザ発振器１００から照射されるレーザ光は、第１のフォーカシングレンズ２１２を通過することで収束されてウィンドウ部３１７へ照射され、収束されたレーザ光がウィンドウ部３１７を通過して被照射部に照射される。かかる場合、レーザ光が第１のフォーカシングレンズ２１２によってフォーカシングされ、採血、ほくろの除去、歯牙削除などに使用されることができる。また、第２の通過部３００にはウィンドウ部３１７が選択されることで、治療の際に発生する煙りまたは異物が第１の通過部２００及びレーザ発振器１００に入り込むことを防止する。
【００４７】
第１の通過部２００には第１の波長フィルタ部２１３が選択され、第２の通過部３００にはウィンドウ部３１７が選択され得る。このとき、レーザ発振器１００から照射されるレーザ光は、第１の波長フィルタ部２１３を通過することで特定波長のレーザ光が選択されてウィンドウ部３１７へ照射され、特定波長のレーザ光がウィンドウ部３１７を通過して被照射部に照射される。また、第１の波長フィルタ部２１３は複数備えても良く、それぞれの第１の波長フィルタ部２１３は特定波長をフィルタリングし、ユーザは、様々な特定波長を選択して使用することができる。
【００４８】
第１の通過部２００には第１の整列レンズ２１４が選択され、第２の通過部３００にはウィンドウ部３１７が選択され得る。このとき、レーザ発振器１００から照射されるレーザ光は、第１の整列レンズ２１４を通過することで整列されてウィンドウ部３１７へ照射され、整列されたレーザ光がウィンドウ部３１７を通過して被照射部に照射される。
【００４９】
第１の通過部２００には第１の多重フォーカシングレンズ２１５が選択され、第２の通過部３００にはウィンドウ部３１７が選択され得る。このとき、レーザ発振器１００から照射されるレーザ光は、第１の多重フォーカシングレンズ２１５を通過することで多重フォーカシングされてウィンドウ部３１７へ照射され、多重フォーカシングされたレーザ光がウィンドウ部３１７を通過して被照射部に照射される。
【００５０】
第１の通過部２００は、予め設定された経路に沿って移動可能であり、第１の通過ユニット２１０は、前記予め設定された経路に対応して配置される。
【００５１】
例えば、第１の通過部２００には、少なくとも２つ以上の第１の通過ユニット２１０が互いに間隔を開けて配置される。また、第１の通過部２００の移動により、レーザ発振器１００から照射されるレーザ光が、選択される１つの第１の通過ユニット２１０に正確に照射されることができる。
【００５２】
また、第１の通過部２００は、ユーザが所望のレーザ光を出力するように作動入力を行うと、作動入力に対応する第１の通過ユニット２１０が選択され、選択された第１の通過ユニット２１０にレーザ発振器１００からのレーザ光が出力されるように移動する。
【００５３】
第２の通過部３００は、予め設定された経路に沿って移動可能であり、第２の通過ユニット３１０は、前記予め設定された経路に対応して配置される。
【００５４】
例えば、第２の通過部３００には、少なくとも２つ以上の第２の通過ユニット３１０が互いに間隔を開けて配置される。また、第２の通過部３００の移動により、第１の通過部２００を通過したレーザ光が、選択される１つの第２の通過ユニット３１０に正確に照射されることができる。
【００５５】
また、第２の通過部３００は、ユーザが所望のレーザ光を出力するように作動入力を行うと、作動入力に対応する第２の通過ユニット３１０が選択され、選択された第２の通過ユニット３１０に第１の通過ユニット２１０を通過したレーザ光が出力されるように移動する。
【００５６】
第１の通過部２００及び第２の通過部３００は、手動で移動され得る。
【００５７】
また、第１の通過部２００を駆動するための第１のモータドライブ部２０１と、第２の通過部３００を駆動するための第２のモータドライブ部３０１と、を含み得る。第１のモータドライブ部２０１は、第１の通過部２００に移動のための駆動力を提供し、第２のモータドライブ部３０１は、第２の通過部３００に移動のための駆動力を提供する。
【００５８】
第１のモータドライブ部２０１の作動により第１の通過部２００に駆動力が伝達され、予め設定された経路に沿って第１の通過部２００が移動し、第２のモータドライブ部３０１の作動により第２の通過部３００に駆動力が伝達され、予め設定された経路に沿って第２の通過部３００が移動する。
【００５９】
例えば、図２を参照すると、第１の通過部２００には、第１の通過ユニット２１０が、レーザ光の出力方向に並ぶ第１の軸周りに間隔を開けて配置される。かかる場合、上述した予め設定された経路は、第１の軸周りに回転する円弧経路であり、第１の通過部２００は、第１のモータドライブ部２０１によってかかる回転経路に沿って回転移動する。
【００６０】
例えば、図３を参照すると、第２の通過部３００には、第２の通過ユニット３１０が、レーザ光の出力方向に並ぶ第２の軸周りに間隔を開けて配置される。かかる場合、上述した予め設定された経路は、第２の軸周りに回転する円弧経路であり、第２の通過部３００は、第２のモータドライブ部３０１によってかかる回転経路に沿って回転移動する。
【００６１】
また、第１の軸及び第２の軸は、同一軸であり得る。第１の通過部２００と第２の通過部３００とは１つの軸に連結されることができ、前記１つの軸で第１の通過部２００と第２の通過部３００とはそれぞれ回転移動する。
【００６２】
他の具現例として、第１の通過部２００には、第１の通過ユニット２１０が、直線経路上において互いに離隔して配置される。かかる場合、上述した予め設定された経路は直線経路であり、第１の通過部２００は、第１のモータドライブ部２０１によってかかる直線経路に沿って直線移動する。第１のモータドライブ部２０１は、レーザ光の経路に第１の通過ユニット２１０が位置し、第１の通過ユニット２１０へレーザ光が正確に照射されるよう、第１の通過部２００を移動させる。
【００６３】
また、第２通過部３００には、第２の通過ユニット３１０が、直線経路上において互いに離隔して配置される。かかる場合、上述した予め設定された経路は直線経路であり、第２の通過部３００は、第２のモータドライブ部３０１によってかかる直線経路に沿って直線移動する。第２のモータドライブ部３０１は、レーザ光の経路に第２の通過ユニット３１０が位置し、第２の通過ユニット３１０へレーザ光が正確に照射されるよう、第２の通過部３００を移動させる。
【００６４】
第１の通過部２００と第２の通過部３００との間、または第２の通過部３００の前方に配置される第３の通過部をさらに含み、第３の通過部は、第３の拡散レンズ、第３のフォーカシングレンズ、第３の波長フィルタ部、第３の整列レンズ、第３の多重フォーカシングレンズ、第３の通孔部、及びウィンドウ部のうち少なくとも２つ以上の第３の通過ユニットを含み、レーザ発振器１００から発振されるレーザ光が前記少なくとも２つ以上の第３の通過ユニットの何れか１つに選択的に供給されるように移動可能である。
【００６５】
レーザ発振器１００から発振されるレーザ光が通過する３つの通過部、例えば、第１の通過部２００、第２の通過部３００及び第３の通過部を含む。
【００６６】
例えば、第１の通過部２００、第２の通過部３００及び第３の通過部を含み、第１の通過部２００には第１の拡散レンズ２１１が選択され、第２の通過部３００には第２の拡散レンズ３１１が選択され、第３の通過部には第３の多重フォーカシングレンズが選択される。このとき、レーザ発振器１００から照射されるレーザ光は、第１の拡散レンズ２１１を通過することで拡散し、拡散したレーザ光が第２の拡散レンズ３１１を通過することでさらに大きく拡散し、さらに大きく拡散したレーザ光が第３の多重フォーカシングレンズを通過しながら多重フォーカシングされ、被照射部に照射される。
【００６７】
本願の多機能の医療用レーザ照射装置１０は、第１の通過部２００及び第２の通過部３００を前後進させる前後進駆動部をさらに含む。
【００６８】
第１の通過部２００及び第２の通過部３００を前後進させることで、被照射部と第１の通過部２００及び第２の通過部３００との距離を調節し、被照射部に照射されるレーザ光のスポットの大きさを調節することができる。
【００６９】
図４を参照すると、前後進駆動部は、ビーム鏡筒５２０と、スペーサ鏡筒５３０と、前後進駆動ユニット５４０と、を含む。
【００７０】
ビーム鏡筒５２０は、第１の通過部２００及び第２の通過部３００がその内部に搭載される。
【００７１】
また、ビーム鏡筒５２０は、第１の通過部２００を通過した光エネルギーが通過する通路の役割をする。
【００７２】
スペーサ鏡筒５３０は、ビーム鏡筒５２０の外周縁に挿入される。
【００７３】
前後進駆動ユニット５４０は、ビーム鏡筒５２０を前方の被照射部に対して相対的に前後進移動させる。
【００７４】
例えば、スペーサ鏡筒５３０の前方が被照射部と一定距離離隔または接触して固定されており、ビーム鏡筒５２０が前後進することによって被照射部とビーム鏡筒５２０との距離を調節し、スペーサ鏡筒５３０の前方へ照射されるレーザ光のスポットの大きさを調節することができる。
【００７５】
また、図面には示されていないが、ビーム鏡筒５２０は、第１の通過部２００と第２の通過部３００との間、または第２の通過部３００の前方に配置される第３の通過部をさらに含み得る。
【００７６】
スペーサ鏡筒５３０は、前方に取り替え可能に結合され、患者毎に取り替えて使用するスペーサウィンドウ部５３１を含む。
【００７７】
スペーサ鏡筒５３０に結合されるスペーサウィンドウ部５３１を患者毎に取り替えて使用することにより、患者間の感染を防止すると共に、治療の際に発生する煙り、異物などが内部に入り込むことを防止することができる。
【００７８】
本願の多機能の医療用レーザ照射装置１０は、レーザ発振器１００によるレーザ光の生成を制御する安全手段をさらに含む。
【００７９】
安全手段は、不注意なミスでレーザ光が照射されてしまい、視力喪失などの事故が生じないようにする装置である。
【００８０】
そのために、安全手段は、把持感知センサと、接触感知センサと、押され感知センサと、を含む。
【００８１】
レーザ発振器１００は、把持感知センサ、接触感知センサ及び押され感知センサの安全手段により安全であるか否かを判断し、レーザ光を発振する。
【００８２】
把持感知センサは、ユーザが多機能の医療用レーザ照射装置１０を使用するために把持する部分に位置し、ユーザの把持有無を感知するセンサである。例えば、医療用レーザ照射装置１０においてユーザが把持する部分は、ハンドピースタイプ、ガン（ｇｕｎ）タイプなどで備えられる。
【００８３】
例えば、把持感知センサは、ユーザが把持した手によって光が遮断される光センサ、把持した手の熱を感知する熱センサ、及び把持した圧力を感知する圧力センサのうち１つ以上のセンサを含む。
【００８４】
また、多機能の医療用レーザ照射装置１０は、被照射部に接触して固定された状態でレーザ光を照射することで、正確にユーザが所望する位置に照射することができる。
【００８５】
接触感知センサは、被照射部に接触する部分に位置し、被照射部との接触有無を判断する。例えば、図４を参照すると、接触感知センサは、スペーサウィンドウ部５３１やその周りに設けられる。
【００８６】
例えば、接触感知センサは、被照射部に流れる微細な電流を感知する電流センサまたは被照射部の温度を感知する温度センサである。但し、接触感知センサは、これに限定されるものではなく、被照射部の性質によって様々なセンサを具備し、被照射部への接触有無を判断する。
【００８７】
押され感知センサは、被照射部に接触する部分の被照射部への加圧を感知する。
【００８８】
例えば、押され感知センサは、スペーサ鏡筒及びビーム鏡筒が取り付けられる取り付けプレートが後方に押されることを感知する加圧センサである。例えば、図４を参照すると、加圧センサは、スペーサウィンドウ部５３１やその周りに設けられる。
【００８９】
ユーザが多機能の医療用レーザ照射装置１０を被照射部に接触し加圧することによって、取り付けプレートが後方に押され、取り付けプレートの後方に位置する加圧センサに圧力が測定され、加圧センサで測定された圧力が一定圧力以上になる場合、レーザ発振器１００からレーザ光が発振される。
【００９０】
上述した安全手段によるレーザ発振器１００のレーザ光生成過程を例示的に説明すると、医療用レーザ照射装置１０において、ユーザが把持する部分に対して把持感知センサがユーザの把持を感知し、接触感知センサが、被照射部に接触する部分が被照射部に接触されることを感知し、その後、押され感知センサが、被照射部に接触する部分が被照射部を加圧する圧力を感知して、その圧力が一定圧力以上になると、レーザ発振器１００はレーザ光の生成が可能なアクティブ状態になる。
【００９１】
前記アクティブ状態でレーザ発振器１００はレーザ光を直ちに生成することもでき、前記アクティブ状態で追加のボタンなどの操作によりユーザがレーザ光の生成命令を出す場合に初めてレーザ発振器１００がレーザ光を生成することもできる。
【００９２】
従って、本願の多機能の医療用レーザ照射装置１０は、レーザ光が少なくとも２つ以上の第１の通過ユニット２１０の何れか１つに選択的に供給され、少なくとも２つ以上の第２の通過ユニット３１０の何れか１つに選択的に供給されることによって、様々な用途に合わせてレーザを調節することができるので、複数のレーザ照射装置１０を購入しなければならないという問題点を解消することができる。
【００９３】
上述した本願の説明は例示のためのものであり、本願の属する技術分野において通常の知識を有する者であれば、本願の技術的思想や必須の特徴を変更せずに他の具体的な形態で容易に変形可能であるということが理解できるはずである。それゆえ、上記した一実施例は全ての面において例示的なものであり、限定的なものではないと理解すべきである。例えば、単一型で説明されている各構成要素は分散して実施されることもでき、同様に、分散したものと説明されている構成要素も結合された形態で実施されることができる。
【００９４】
本願の範囲は、上記の詳細な説明よりは後述する特許請求の範囲によって示され、特許請求の範囲の意味及び範囲、並びにその均等概念から導出される全ての変更または変形された形態が本願の範囲に含まれると解釈されなければならない。
【図１】
0006450830.tif 000002
【図２】
0006450830.tif 000003
【図３】
0006450830.tif 000004
【図４】
0006450830.tif 000005